(57)【特許請求の範囲】
【請求項１】
左右に離間する脚支柱に対して天板が略水平な使用位置と、略垂直な待避位置との間で回動し、且つ前記両位置を係合手段により維持すると共に、該係合手段を前記天板に設けた操作部材により解除可能とした折り畳みテーブルにおいて、
前記左右両脚支柱上端部に上方と前後方向とが開口する凹所をそれぞれ設け、該凹所内に前記天板の左右下面側に設けた左右フレームを枢軸により回動可能に軸支すると共に、該左右フレームと前記凹所との間に、前記天板が略水平な使用位置となった時に前記左右フレーム下面がそれぞれ当接する第１当接部と、天板が略垂直な待避位置となった時に前記左右フレーム下面がそれぞれ当接する第２当接部とを備えた樹脂製の緩衝受材が配設され、該緩衝受材は一側は前記枢軸により回動可能に軸支され、他側は係脱自在の嵌合により脚支柱上端に取り付けられていることを特徴とする折り畳みテーブル。
【請求項２】
前記凹所は２枚の支持板で構成され、前記左右フレームはそれぞれ前記２枚の支持板に支持された前記枢軸により回動可能に軸支されている請求項１に記載の折り畳みテーブル。
【請求項３】
前記緩衝受材には、前記左右フレームのそれぞれが枢動運動するときの側案内となる側支持部が形成されている請求項１または２に記載の折り畳みテーブル。
【請求項４】
前記緩衝受材の前方側には、脚支柱の前端より前方側に突設する第３の当接部が形成され、前記天板を略垂直状態となる待避位置で折り畳みテーブル同士を前後方向に重ねた時に、前記第３の当接部が隣接する折り畳みテーブルの天板と当接するように構成されている請求項１ないし３の何れかに記載の折り畳みテーブル。
【発明の詳細な説明】
【０００１】
【発明の属する技術分野】
本発明は、左右に離間する脚支柱に対して天板が略水平な使用位置と、略垂直な待避位置との間で回動し、且つ前記両位置を係合手段により維持すると共に、該係合手段を前記天板に設けた操作部材により解除可能とした折り畳みテーブルに関する。
【０００２】
【従来の技術】
この種の折り畳みテーブルとしては、本件出願人は天板回動係止部が外部から隠蔽されるようにすると共に、指などが挟まれる危険性が回避され、安全性を向上することができる改良された折り畳みテーブルを既に開発している。
【０００３】
図１０は天板が水平位置に保持された状態を示す上述の折り畳みテーブルの側面図であり、図１１は天板が起立状態に折り畳まれた状態で前後に複数の折り畳みテーブルを重ねて収納した状態を示す上述の折り畳みテーブルの側面図である。
【０００４】
図１０に示すように、折り畳みテーブル０１は、天板０２の下面両側部に設けた左右一対の前後方向を向くブラケット０３と、それぞれ左右方向を向く枢軸０５をもって、ベースＢ上に立設した左右一対の脚支柱０４上端部に枢着することにより、天板０２が、両脚支柱０４の上端近くにおいて倒伏する水平の使用位置と、脚支柱０４の前側において起立する折り畳み側との間を回動し得るようになっている。
【０００５】
詳しくは、両脚支柱０４の上端部内側面に、枢軸０５が挿通する軸孔（不図示）と、ブラケット０３に設けた左右方向を向く２本の係止ピン０８、０９と係合して天板０２を水平の使用位置と起立位置とに保持し得る２個の図示しない係止溝とを前後に有する支持片（不図示）が設けられ、この支持片の上端部と、操作レバー０１３の操作に連動して係止ピン０８、０９と両係止溝との係脱を行う係止ピン移動部材０１５とを、ほぼ下向きコ字形とした一方のブラケット０３の対向する両側板間に収容している。
【０００６】
【発明が解決しようとする課題】
ところが、このように構成された折り畳みテーブル０１は、両脚柱０４に対して天板０２が水平位置または略垂直な収納位置に位置決めされる際に、衝撃音や損傷の発生、または図１１に示すように、略垂直状態となる収納位置で折り畳みテーブル０１同士を前後方向に重ねた際における隣接する折り畳みテーブル０１の突設部との接触による天板上面に擦り傷が生ずることから、出願人は更に研究を進めた結果、天板０２が水平または垂直状態に位置決めされる位置、または収納位置における隣接テーブルの天板０２との当接を緩衝することで、衝撃音や傷の発生を防止できる点に着目し本発明の折り畳みテーブルを開発した。
【０００７】
本発明は、このような状況に鑑みてなされたもので、天板が略水平または略垂直位置に位置決めされる際、または略垂直位置となる待避位置で折り畳みテーブル同士を前後方向に重ねた際において、天板と当接する部分を緩衝材で緩衝して衝撃音や傷の発生を防止することができる折り畳みテーブルを提供することを目的とするものである。
【０００８】
【課題を解決するための手段】
上記課題を解決するために、本発明の折り畳みテーブルは、左右に離間する脚支柱に対して天板が略水平な使用位置と、略垂直な待避位置との間で回動し、且つ前記両位置を係合手段により維持すると共に、該係合手段を前記天板に設けた操作部材により解除可能とした折り畳みテーブルにおいて、
前記左右両脚支柱上端部に上方と前後方向とが開口する凹所をそれぞれ設け、該凹所内に前記天板の左右下面側に設けた左右フレームを枢軸により回動可能に軸支すると共に、該左右フレームと前記凹所との間に、前記天板が略水平な使用位置となった時に前記左右フレーム下面がそれぞれ当接する第１当接部と、天板が略垂直な待避位置となった時に前記左右フレーム下面がそれぞれ当接する第２当接部とを備えた樹脂製の緩衝受材が配設され、該緩衝受材は一側は前記枢軸により回動可能に軸支され、他側は係脱自在の嵌合により脚支柱上端に取り付けられていることを特徴としている。
この特徴によれば、樹脂製の緩衝受材が第１及び第２当接部を有しているから、天板が略水平位置に位置決めされた際は第１当接部によって緩衝され、天板が略垂直状態となる待避位置に位置決めされた際は第２当接部によって緩衝することことができる。また、緩衝受材はビス等の締結具を用いることなく容易に脚支柱上端の凹部に装脱できる。
【０００９】
本発明の折り畳みテーブルは、前記凹所は２枚の支持板で構成され、前記左右フレームはそれぞれ前記２枚の支持板に支持された枢軸により回動可能に軸支されていることが好ましい。
このようにすれば、２枚の支持板で左右のフレームを確実に支持することができ、また、支持板間で形成された凹所内で左右フレームが当接するので、当接時に指などが不用意に挟まれる危険性が少ない。
【００１１】
本発明の折り畳みテーブルは、前記緩衝受材には、前記左右フレームのそれぞれが枢動運動するときの側案内となる側支持部が形成されていることが好ましい。
このようにすれば、緩衝受材の側支持部により左右のフレームがそれぞれ円滑に凹所に対して回動することができる。
【００１２】
本発明の折り畳みテーブルは、前記緩衝受材の前方側には、脚支柱の前端より前方側に突設する第３の当接部が形成され、前記天板を略垂直状態となる待避位置で折り畳みテーブル同士を前後方向に重ねた時に、前記第３の当接部が隣接する折り畳みテーブルの天板と当接するように構成されていることが好ましい。
このようにすれば、折り畳みテーブル同士を前後方向に重ねた時に、第３の当接部により隣接した折り畳みテーブルの天板を保護することができる。
【００１３】
【発明の実施の形態】
以下、本発明の実施例を図面に基づいて説明する。図１は本発明の折り畳みテーブルを示し、（ａ）は水平な使用状態にある折り畳みテーブルの斜視図、（ｂ）は垂直な待避位置にある折り畳みテーブルの斜視図、図２は天板下面における操作装置の分解斜視図、図３の（ａ）は使用状態にある折り畳みテーブルの係合手段を示す部分拡大側面図であり、（ｂ）は折り畳みテーブルの係合手段を示す一部破断した部分側面図である。
【００１４】
先ず、図１において、折り畳みテーブル１は、底面の左右に配置されて前後に開脚された一対の脚柱４ａ、４ｂの下端に設けられた４個のキャスタＳに支持されて床面３上を移動可能であって、床面３の所定位置に停止保持することができるようになっている。
【００１５】
この折り畳みテーブル１は、図１の（ａ）に示すように、使用状態では脚支柱に対して前方Ｆが手前に位置するように横長矩形の天板２が略水平に保持された状態に維持され、不使用時には図１の（ｂ）に示すように、天板の前方Ｆが上方に向く略垂直な待避位置に保持した状態に維持されて、図９に示すように、複数台の折り畳みテーブルと共に重ねて収容することができるようになっている。
【００１６】
そして、上記のように水平位置と不使用状態となる垂直位置で係合保持した状態で維持される天板２には、両位置間で回動する際に上記の係合状態を解除するための操作装置が設けられている。
【００１７】
また、上記の折り畳みテーブル１は、図２に示すように、左右一対の脚支柱４ａ、４ｂの上端に、前後に突設した一対の支持板６ａ、６ｂを備えた支持具５ａ、５ｂがそれぞれ取着され、これら左右の支持具５ａ、５ｂ間は連結部材１２で連結されている。更に、天板２は、連結部材１２と横フレーム９ａとの中間にはダンパー装置Ｄが連結されており、天板２が回動した終端位置での衝撃を緩和している。
【００１８】
一方、天板２の下面には前後に延びる左右の縦フレーム８ａ、８ｂと、これら一対の縦フレーム８ａ、８ｂ間の前後に接続された横フレーム９ａ、９ｂとが取付けられており、これら縦、横の各フレーム８ａ、８ｂ及び９ａ、９ｂは、上方が開口する断面コ字形に形成され、前方に配置される横フレーム９ａ中央には操作装置１５に接続される一対のワイヤーＷ１、Ｗ２の端部を挿通するための開口１０が形成されている。
【００１９】
更に、前方の横フレーム９ａには、その下面に上面が開口する断面コ字形のフレームカバー１４が装着されており、その中央前方には開口１０を挿通した一対のワイヤー端部が挿通するための挿通孔１４ａ、１４ｂが形成されている。
【００２０】
左右の縦フレーム８ａ、８ｂ側面の略中央には、幅方向に貫通する一対の長孔１６ａ、１６ｂが前後に形成されると共に、両長孔１６ａ、１６ｂの中間部には支持孔１８が穿設されている。
【００２１】
これら縦フレーム８ａ、８ｂの内部には略中央に、係合手段となる直方体状に形成されたブロック状の作動部材２０が前後方向に摺動可能に挿嵌されており、この作動部材２０は、図３に示すように、その前方に前記一方の長孔１６ｂに対応する係止軸２６を挿通する貫通孔２２が穿設されると共に、支持孔１８に対応する長孔２３が形成され、後方には左右フレーム８ａ、８ｂ後方の上部に形成された切欠き溝２１に一端を係止した引っ張りバネ２４の他端を係止するための係止軸３０を挿通する貫通孔２５が穿設されている。
【００２２】
上記のように構成された作動部材２０は、それぞれ両縦フレーム８ａ、８ｂ内部の略中間部位に挿嵌されると、それぞれ対応位置にあるそれぞれのフレーム８ａ、８ｂ前方の両長孔１６ｂと作動部材２０前方の貫通孔２２に、図３に示す係止軸２６が挿通されると共に、縦フレーム８ａ、８ｂ後方の両長孔１６ａと作動部材２０後方の貫通孔２５に、図３に示す係止軸３０が挿通されることで、前後に配置された２本の係止軸２６、３０により前後方向に移動可能に支持された状態で縦フレーム８ａ、８ｂの内部に組み込まれる。
【００２３】
また、支持具５ａ、５ｂは、図２及び図３の（ａ）、（ｂ）に示すように、一対の支持板６ａ、６ｂで挟まれた中間部が上方と前後方向に開放された凹所として形成され、後方部に貫通孔３２が穿設されると共に後端側対向面には前方が下方に向かって折曲した逆Ｌ字状の一対の係合溝３５が形成され、前方部の対向する内面には前方に向けて開口する水平な一対の係合溝３４が形成されている。
【００２４】
両支持具５ａ、５ｂの支持板６ａ、６ｂに穿設された貫通孔３２より作動部材２０の長孔２３に枢軸２８を挿通させることで、天板２は、両脚支柱４ａ、４ｂ上端の支持具５ａ、５ｂに枢軸２８を介して回動可能に枢着される。
【００２５】
図２に示すように、両縦フレーム８ａ、８ｂ内にそれぞれ組み込まれた各作動部材２０前端の係止溝に、ワイヤーＷ１、Ｗ２の一端に設けた係止片Ｗ１ａ及びＷ２ａが係止され、このワイヤＷ１，Ｗ２は両縦フレーム８ａ、８ｂと前方の横フレーム９ａ内に屈曲された状態で収容され、その他端Ｗ１ｂ、Ｗ２ｂは操作装置１５の操作レバー３６に接続されている。
【００２６】
そして、両縦フレーム８ａ、８ｂ後方の切欠き溝２１に一端を係止した引っ張りバネ２４の他端が作動部材２０の後方に挿入した係止軸３０に係止することで、作動部材２０は後方に付勢され、各ワイヤーＷ１、Ｗ２には張力が作用した状態となっている。
【００２７】
操作装置１５は、合成樹脂等で一体的にケース状に成形された操作レバー３６と、天板２前方の裏面中央に固定されこの操作レバー３６を前後方向に移動可能に係合保持する固定部材３８と、操作レバー３６に対し前方に突出し、後方に押すことで操作レバー３６の操作を可能にするようにした安全レバー４４とで構成されている。
【００２８】
このように構成された操作装置１５は、操作する際は、例えば人手の親指により安全レバー４４を押圧しつつ操作レバー３６を手前に引き出すことにより、作動部材２０を摺動させて係合手段を駆動する。係合手段は前後方の２つの手段からなり、図２及び図３の（ａ）、（ｂ）に示すように、前方の第１の係合手段は係止軸２６と係合溝３４とからなり、また後方の第２の係合手段は係止軸３０と係合溝３５とからなっている。
【００２９】
次に、天板が略水平な使用位置と略垂直な待避位置との間で回動した際の当接時における衝撃の緩和や傷の発生を防止する緩衝受材につき説明する。
【００３０】
この緩衝受材は、図４〜図８に示されており、図４は両脚支柱上端部の支持具に左右の縦フレームが水平に支持された状態を示す部分斜視図、図５は両脚支柱上端部の支持具に左右の縦フレームが垂直に支持された状態を示す部分斜視図、図６は脚支柱上端部の支持具を斜め前方側から視た部分斜視図、図７は脚支柱上端部の支持具を斜め後方側から視た部分斜視図、図８は脚支柱上端部から緩衝受材を取り外した状態を示す分解斜視図である。
【００３１】
先ず、脚支柱４ａ、４ｂ上端の支持具５ａ、５ｂは、前後方において上方に突出した左右一対の対向した支持板６ａ、６ｂからなり、この左右一対の支持板６ａ、６ｂの前後部側には下方に向って凹溝５０ａ、５０ｂが形成され、これら凹溝５０ａ、５０ｂは凹所５０に連絡され、前方の凹溝５０ｂ内には係止穴４５が形成されている。この凹所５０は支持板６ａ、６ｂと協同して上方と前後方向が開放されており、左右フレーム８ａ、８ｂが枢動できるように構成されている。
【００３２】
そして、この凹所５０内には、弾力性を有する合成樹脂などで一体成形される緩衝部材となる緩衝受材４０が着脱可能に装着される。この緩衝受材４０の後端側には、図８に示すように、貫通孔３３が形成された左右一対の側支持片４２ａ、４２ｂ（側支持部）が所定間隔離間して突設されている。
【００３３】
また、この緩衝受材５０の前端側には所定の円弧で折曲した第３当接部４０ｂとして構成された突設部が形成されており、側支持片４２ａ、４２ｂ間の下部と突設部４０ｂの間は湾曲帯４０ｄで連絡されており、第３当接部４０ｂの内側には前方の凹溝５０ｂ内に形成される係止穴４５に係止される係止突部４４が内方に向かって突設している。
【００３４】
更に緩衝受材４０は、湾曲帯４０ｄで連絡される前方側の第３当接部４０ｂ上面に形成される水平面が第１当接部４０ａとして構成されると共に、左右一対の側支持片４２ａ、４２ｂ間の下方には、第２当接部４０ｃとして構成される突設部が形成されている。
【００３５】
図６及び図７には脚支柱４ａ、４ｂ上端の支持具５ａ、５ｂに緩衝受材４０が装着された状態が示されており、図６に示すように、第３当接部４０ｂの外側面が第１当接部４０ａ前方より下方に折曲形成され、左右の支持板６ａ、６ｂから前方に若干突出している。
【００３６】
そして、第１当接部４０ａを挟む左右一対の支持板６ａ、６ｂの対向面には、前述したように前方に向けて開口する水平な一対の係合溝３４が形成されている。
【００３７】
また、図７に示すように、緩衝受材４０が装着された状態では、側支持片４２ａ、４２ｂ間の対向面に、支持板６ａ、６ｂと共に逆Ｌ字状に折曲した一対の係合溝３５が形成されている。
【００３８】
側支持片４２ａ、４２ｂ間の貫通孔３３にも枢軸２８が挿通され、この枢軸２８は、図２に示すように縦フレーム８ａ、８ｂ後方に形成された長孔１６ａ及び、縦フレーム８ａ、８ｂ内に摺動可能に挿嵌される作動部材２０後方の長孔２３を挿通していて、左右の縦フレーム８ａ、８ｂがこの枢軸２８により枢動可能に装着されている。
【００３９】
そして、縦フレーム８ａ、８ｂが支持具５ａ、５ｂ上に水平状態にある時は、図４に示すように、縦フレーム８ａの前方下面が緩衝受材４０の第１当接部４０ａに当接した状態となり、同時に縦フレーム８ａ前方の両側面から突出した係止軸２６の両端が係合溝３４に収容された状態で係合されている。
【００４０】
また、縦フレーム８ａ、８ｂが支持具５ａ、５ｂ上に支持されて垂直状態にある時は、図５に示すように、枢軸２８に支持された縦フレーム８ａ、８ｂの下面が緩衝受材４０後端に形成した第２当接部４０ｃに当接した状態となり、同時に図３（ｂ）に示すように、縦フレーム８ａ後方の両側面から突出した係止軸３０の両端が係合溝３５に収容された状態で係合されている。
【００４１】
次に、上記のように構成された折り畳みテーブルの作用につき説明する。
【００４２】
先ず、図１の（ａ）に示すように、水平状態にある天板２を収納するに際し、操作装置１５により略垂直な待避位置に回動させるためにの操作を行う。
【００４３】
そこで、図２における操作装置１５の安全レバー４４を押圧することで操作が可能となった操作レバー３６を手前に引く操作により、一対のワイヤーＷ１、Ｗ２が牽引され両作動部材２０が引っ張りバネ２４の付勢力に抗して前方に移動する。
【００４４】
この作動部材２０の移動により、両作動部材２０前方の係止軸２６両端は、支持板６ａ，６ｂに形成した係合溝３４から離脱し、天板２はロック状態から開放されて、枢軸２８を中心として回動可能な状態となり、水平状態から人為的に前端Ｆを上方に回動させることができるようになる。
【００４５】
これによって、図７に示すように、天板２下面の左右の縦フレーム８ａ、８ｂが、側支持片４２ａ、４２ｂ間に設けられた緩衝受材４０の第２当接部４０ｃに当接し、当接時の衝撃が緩和される。
【００４６】
天板２が略垂直状態になると、両作動部材２０後方側の係止軸３０両端が逆Ｌ字状の一対の係合溝３５に係合し、引っ張りバネ２４の付勢力によってその状態が維持され、操作装置１５は操作レバー３６がロックされて初期の状態に維持される。
【００４７】
図９は天板が略垂直状態となる収納位置で折り畳みテーブル同士を前後方向に重ねた状態を示す側面図である。垂直状態に位置決めされた折り畳みテーブル１を、前後に重ねて収納する際には、図９に示すように天板２の上面が、隣接する折り畳みテーブル１の緩衝受材４０の第３当接部４０ｂに当接して衝撃や擦り傷の発生を防止することができる。
【００４８】
次に、折り畳みテーブル１を再び使用状態にするときは、操作装置１５の安全レバー４４を押圧することで操作が可能となった操作レバー３６を手前に引くことにより、一対のワイヤーＷ１、Ｗ２を介して両作動部材２０が前方に移動する。
【００４９】
これにより、フリー状態になった天板２は、垂直状態の上端部に手をかけて前方に傾倒し人為的に水平状態に回動することができる。天板２が枢軸２８を中心として水平状態まで回動した際には、図４に示すように、縦フレーム８ａの下面が支持具５ａ上における緩衝受材４０の第１当接部４０ａに当接することで、当接時の衝撃が緩和される。
【００５０】
このように天板２が水平状態まで回動されると、縦フレーム８ａ、８ｂ前方の両側面から突出した係止軸２６両端は、引っ張りバネ２４の付勢力によって係合溝３４に係合することでその状態が維持され、操作レバー３６がロックされて操作装置１５は初期の状態に維持される。
【００５１】
従って、上記のように構成された折り畳みテーブルによれば、天板２が水平位置に位置決めされた際における接触部同士の衝撃時における衝撃音や傷は、第１当接部４０ａによって緩衝することができ、天板２が略垂直状態となる待避位置に位置決めされた際における接触部同士の衝撃時における衝撃音や傷は、第２当接部４０ｃによって緩衝することができる。この時、折り畳みテーブル１同士を前後方向に重ねた際においては、天板２の上面と隣接する折り畳みテーブル１は緩衝受材４０の第３当接部４０ｂによって緩衝することことができる。
【００５２】
また、左右の縦フレーム８ａ、８ｂが左右支持板６ａ、６ｂの間に挟持されて天板２が水平または垂直位置に回動すると、左右の縦フレーム８ａ、８ｂ下面と第１当接部４０ａまたは第２当接部４０ｃとが左右支持板間で形成された凹所内で当接するので、当接時に指などが不用意に挟まれる危険性なく安全性が向上する。
【００５３】
更に緩衝受材４０が、一側が枢軸２８により、他側が係止穴４５と係止突部４４からなる凹凸嵌合により取り付けられているので、着脱が容易で摩耗しまたは損傷したときに新品と交換する作業が楽である。
【００５４】
また、側支持片４２ａ、４２ｂは左右の縦フレームが枢動運動するときの側案内となるので、これらフレームを円滑に回動させることができる。
【００５５】
【発明の効果】
本発明は以下の効果を奏する。
【００５６】
（ａ）請求項１項の発明によれば、樹脂製の緩衝受材が第１及び第２当接部を有しているから、天板が略水平位置に位置決めされた際は第１当接部によって緩衝され、天板が略垂直状態となる待避位置に位置決めされた際は第２当接部によって緩衝することことができる。また、緩衝受材はビス等の締結具を用いることなく容易に脚支柱上端の凹部に装脱できる。
【００５７】
（ｂ）請求項２項の発明によれば、２枚の支持板で左右のフレームを確実に支持することができ、また、支持板間で形成された凹所内で左右フレームが当接するので、当接時に指などが不用意に挟まれる危険性が少ない。
【００５９】
（ｃ）請求項３項の発明によれば、緩衝受材の側支持部により左右のフレームがそれぞれ円滑に凹所に対して回動することができる。
【００６０】
（ｄ）請求項４項の発明によれば、折り畳みテーブル同士を前後方向に重ねた時に、第３の当接部によ隣接した折り畳みテーブルの天板を保護することができる。
【図面の簡単な説明】
【図１】本発明の折り畳みテーブルを示し、（ａ）は水平な使用状態にある折り畳みテーブルの斜視図、（ｂ）は垂直な待避位置にある折り畳みテーブルの斜視図である。
【図２】天板下面における操作装置の分解斜視図である。
【図３】（ａ）は使用状態にある折り畳みテーブルの係合手段を示す部分拡大側面図であり、（ｂ）は折り畳みテーブルの係合手段を示す一部破断した部分側面図である。
【図４】両脚支柱上端部の支持具に左右の縦フレームが水平に支持された状態を示す部分斜視図である。
【図５】両脚支柱上端部の支持具に左右の縦フレームが垂直に支持された状態を示す部分斜視図である。
【図６】脚支柱上端部の支持具を斜め前方側から視た部分斜視図である。
【図７】脚支柱上端部の支持具を斜め後方側から視た部分斜視図である。
【図８】脚支柱上端部から緩衝受材を取り外した状態を示す分解斜視図である。
【図９】天板が略垂直状態となる収納位置で折り畳みテーブル同士を前後方向に重ねた状態を示す側面図である。
【図１０】天板が水平位置に保持された状態を示す従来の折り畳みテーブルの側面図である。
【図１１】天板が起立状態に折り畳まれた状態で前後に複数の折り畳みテーブルを重ねて収納した状態を示す従来の折り畳みテーブルの側面図である。
【符号の説明】
１                    折り畳みテーブル
２                    天板
３                    床面
４ａ、４ｂ            脚支柱
５ａ、５ｂ            支持具
６ａ、６ｂ            支持板
８ａ、８ｂ            縦フレーム
９ａ、９ｂ            横フレーム
１０                  開口
１２                  連結部材
１４                  フレームカバー
１４ａ、１４ｂ        挿通孔
１５                  操作装置
１６ａ、１６ｂ        長孔
１８                  支持孔
２０                  作動部材
２１                  切欠き溝
２２                  貫通孔
２３                  長孔
２４                  引っ張りバネ
２５                  貫通孔
２６                  係止軸
２８                  枢軸
３０                  係止軸
３２                  貫通孔
３３                  貫通孔
３４、３５            係合溝
４０                  緩衝受材
４０ａ                第１当接部
４０ｂ                第３当接部
４０ｃ                第２当接部
４０ｄ                湾曲帯
４２ａ、４２ｂ        側支持片（側支持部）
４４                  係止突部
４５                  係止穴
５０                  凹所
５０ａ、５０ｂ        凹溝
Ｄ                    ダンパー装置
Ｆ                    前方
Ｓ                    キャスタ
Ｗ１、Ｗ２            ワイヤー
Ｗ１ａ、Ｗ２ａ        係止片
Ｗ１ｂ、Ｗ２ｂ        係止片
【図１】
0004000272.tif 000002
【図２】
0004000272.tif 000003
【図３】
0004000272.tif 000004
【図４】
0004000272.tif 000005
【図５】
0004000272.tif 000006
【図６】
0004000272.tif 000007
【図７】
0004000272.tif 000008
【図８】
0004000272.tif 000009
【図９】
0004000272.tif 000010
【図１０】
0004000272.tif 000011
【図１１】
0004000272.tif 000012